(57)【要約】【課題】使用済みの電子機器を解体する際に、解体の利便性を改善するとともに、構成部品のリサイクル性を向上させる。【解決手段】開示される電子機器の入力装置の構造は、固定接点（第１の導電層）１が設けられた基板３上に接着され、内面に固定接点１と対向して接触可能な可動接点（第２の導電層）４が接着された可撓性絶縁シートから構成されるクリック板シート５を有する電子機器の入力装置の構造において、クリック板シート５は、シアノアクリレートを主剤としてこれに例えばフェノール樹脂からなる熱硬化性樹脂が添加された組成の接着剤６により基板３上に接着されている。【選択図】      図３
2004311329.tif 000002
【特許請求の範囲】
【請求項１】
第１の導電層が設けられた基板上に接着されて、内面に前記第１の導電層と対向して接触可能な第２の導電層が接着され、外面が押圧されたとき前記第１の導電層と前記第２の導電層とを接触させるように可撓性絶縁シートから構成されるクリック部材を有する電子機器の入力装置の構造であって、
前記クリック部材は、熱硬化性樹脂が添加された接着剤により前記基板上に接着されていることを特徴とする電子機器の入力装置の構造。
【請求項２】
第１の導電層が設けられた基板上に接着されて、内面に前記第１の導電層と対向して接触可能な第２の導電層が接着され、外面が押圧されたとき前記第１の導電層と前記第２の導電層とを接触させるように可撓性絶縁シートから構成されるクリック部材を有する電子機器の入力装置の構造であって、
上面に前記第１の導電層が設けられるとともに複数の電子部品が実装された基板と、
前記基板上に熱硬化性樹脂が添加された接着剤により接着されるとともに、内面に前記第２の導電層が前記接着剤により接着され、クリック動作可能に外面に突起部を備えた前記可撓性絶縁シートから構成される前記クリック部材と、
前記クリック部材上に配置されて内面に前記突起部を押圧する凸部を備えた弾力性のある絶縁性支持シートと、
前記絶縁性支持シート上に接着されて該絶縁性支持シートを介して前記クリック部材を押圧するためのキートップと、
を有することを特徴とする電子機器の入力装置の構造。
【請求項３】
前記接着剤として、シアノアクリレートを主剤として含むことを特徴とする請求項１又は２記載の電子機器の入力装置の構造。
【請求項４】
前記熱硬化性樹脂として、フェノール樹脂、あるいはポリウレタンを含むことを特徴とする請求項１、２又は３記載の電子機器の入力装置の構造。
【請求項５】
前記接着剤は、前記基板上に前記電子部品が実装される温度以下に加熱されたとき接着性が略なくなる性質を有していることを特徴とする請求項２、３又は４記載の電子機器の入力装置の構造。
【請求項６】
前記基板上に前記電子部品が実装される温度以下に加熱される温度が、１４０〜２００℃に選ばれることを特徴とする請求項１乃至５のいずれか１に記載の電子機器の入力装置の構造。
【請求項７】
前記電子機器が携帯電話から成ることを特徴とする請求項１乃至６のいずれか１に記載の電子機器の入力装置の構造。
【発明の詳細な説明】
【０００１】
【発明の属する技術分野】
この発明は、電子機器の入力装置の構造に係り、詳しくは、第１の導電層が設けられた基板上に接着され、内面に第１の導電層と対向して接触可能な第２の導電層が接着された可撓性絶縁シートから構成されるクリック部材を有する電子機器の入力装置の構造に関する。
【０００２】
【従来の技術】
例えば携帯電話、ＰＤＡ（Ｐｅｒｓｏｎａｌ  Ｄｉｇｉｔａｌ  Ａｓｓｉｓｔａｎｔｓ：個人向け携帯型情報通信機器）、携帯用ＧＰＳ（Ｇｌｏｂａｌ  Ｐｏｓｉｔｉｏｎｉｎｇ  Ｓｙｓｔｅｍ）等の携帯用電子機器の入力装置の構造として、利用者のクリック操作によりオン、オフを繰り返すように構成されているスイッチが広く用いられている。このようなクリック式のスイッチは、利用者が可撓性絶縁シートから構成されるクリック板シートを押圧（クリック）することで、対向する一対の接点（導電層）間を開閉してスイッチ動作を行うので操作が簡単となり、また、構造が単純なので故障が少ない、電子機器を構成する基板上で余分なスペースを占有しない等の利点を有しているため、上述したような携帯用電子機器に適している。
【０００３】
上述したようなクリック板シートを有する電子機器の入力装置の構造が開示されている（例えば、特許文献１参照。）。同入力装置の構造は、図６に示すように、上面に固定接点（第１の導電層）１０１が設けられた基板（ベース部材）１０２と、内面に固定接点１０１と対向して接触可能な可動接点（第２の導電層）１０３が設けられ、クリック動作可能に外面に突起部１０４Ａを備えたＰＥＴ（ポリエリレン・テレフタレート）、ポリプロピレン、塩化ビニール等の可撓性絶縁シートから構成されるクリック板シート１０４と、基板１０２とクリック板シート１０４との間に接着されて両接点１０１、１０３間にスイッチ動作空隙を確保するための絶縁性スペーサ１０５とから構成されている。なお、クリック板シート１０４内には、耐久性を確保するためにスチールファイバ、セラミックファイバ等のフィラー１０６が混入されている。ここで、上述の電子機器の入力装置の構造は、一般に、例えばアクリル系両面テープ等の粘着剤を用いて、絶縁性スペーサ１０５を、ベース部材１０２及びクリック板シート１０４に接着することにより、それぞれの部品が一体化されて組み立てられている。
【０００４】
このような構成の電子機器の入力装置の構造によれば、利用者はキートップ（図示せず）等を介して所望のスイッチに対応した位置のクリック板シート１０４の突起部１０４Ａを押圧することにより、突起部１０４Ａが変形して可動接点１０３が下降して固定接点１０１に接触してスイッチがオンするので、オンされたスイッチの位置データが電子機器の制御部に入力されるので、制御部による制御の基に電子機器として所望の動作が行われるようになる。
【０００５】
【特許文献１】
特開昭５９−１５７９２３号公報（第２、３頁、第４図）。
【０００６】
【発明が解決しようとする課題】
しかしながら、特許文献１に開示されている電子機器の入力装置の構造では、この入力装置の構造が組み込まれた使用済みの電子機器を廃棄し解体する際に手間がかかるので、解体の利便性に劣るだけでなく、構成部品のリサイクル性に欠ける、という問題がある。
すなわち、最近では社会全般にわたって環境問題がクローズアップされてきており、これに伴って携帯用電子機器を含めた電子機器を廃棄する場合は、容易に解体できて、しかも解体した部品ができるだけ再使用できるようにリサイクル性に富んでいることが求められている。
【０００７】
このような観点から、図６に示したようなクリック板シート１０４を有する従来の電子機器の入力装置の構造を見た場合、前述したように、アクリル系両面テープ等の粘着剤を用いて、ベース部材１０２、クリック板シート１０４及び絶縁性スペーサ１０５を一体に組み立てているが、上述の粘着剤はそれぞれの部品を一体化させるように接着（固定）することだけを目的として用いられており、解体時の利便性については全く考慮されていない。すなわち、電子機器を解体するときには、一般に熱を加えて処理することが行われているが、上述の粘着剤は熱を加えると接着力が増すという性質を有しているので、電子機器の入力装置の構造を解体する際に処理がしにくくなるため、手間がかかって解体の利便性に劣るようになる。
【０００８】
また、そのような入力装置の構造が組み込まれた電子機器を修理する場合には、上述のように解体が困難になることに伴って、修理に余計な工数がかかるだけでなく、解体時に誤って再利用可能な部品まで破損させてしまうおそれがある。したがって、この場合には余分な新しい部品が必要になるので、修理コストのアップが避けられなくなり、構成部品のリサイクル性に欠けるようになる。
【０００９】
この発明は、上述の事情に鑑みてなされたもので、使用済みの電子機器を解体する際に、解体の利便性を改善するとともに、構成部品のリサイクル性を向上させることができるようにした電子機器の入力装置の構造を提供することを目的としている。
【００１０】
【課題を解決するための手段】
上記課題を解決するために、請求項１記載の発明は、第１の導電層が設けられた基板上に接着されて、内面に上記第１の導電層と対向して接触可能な第２の導電層が接着され、外面が押圧されたとき上記第１の導電層と上記第２の導電層とを接触させるように可撓性絶縁シートから構成されるクリック部材を有する電子機器の入力装置の構造に係り、上記クリック部材は、熱硬化性樹脂が添加された接着剤により上記基板上に接着されていることを特徴としている。
【００１１】
また、請求項２記載の発明は、第１の導電層が設けられた基板上に接着されて、内面に上記第１の導電層と対向して接触可能な第２の導電層が接着され、外面が押圧されたとき上記第１の導電層と上記第２の導電層とを接触させるように可撓性絶縁シートから構成されるクリック部材を有する電子機器の入力装置の構造に係り、上面に上記第１の導電層が設けられるとともに複数の電子部品が実装された基板と、上記基板上に熱硬化性樹脂が添加された接着剤により接着されるとともに、内面に上記第２の導電層が上記接着剤により接着され、クリック動作可能に外面に突起部を備えた上記可撓性絶縁シートから構成される上記クリック部材と、上記クリック部材上に配置されて内面に上記突起部を押圧する凸部を備えた弾力性のある絶縁性支持シートと、上記絶縁性支持シート上に接着されて該絶縁性支持シートを介して上記クリック部材を押圧するためのキートップとを有することを特徴としている。
【００１２】
また、請求項３記載の発明は、請求項１又は２記載の電子機器の入力装置の構造に係り、上記接着剤として、シアノアクリレートを主剤として含むことを特徴としている。
【００１３】
また、請求項４記載の発明は、請求項１、２又は３記載の電子機器の入力装置の構造に係り、上記熱硬化性樹脂として、フェノール樹脂、あるいはポリウレタンを含むことを特徴としている。
【００１４】
また、請求項５記載の発明は、請求項２、３又は４記載の電子機器の入力装置の構造に係り、上記接着剤は、上記基板上に上記電子部品が実装される温度以下に加熱されたとき接着性が略なくなる性質を有していることを特徴としている。
【００１５】
また、請求項６記載の発明は、請求項１乃至５のいずれか１に記載の電子機器の入力装置の構造に係り、上記基板上に上記電子部品が実装される温度以下に加熱される温度が、１４０〜２００℃に選ばれることを特徴としている。
【００１６】
また、請求項７記載の発明は、請求項１乃至６のいずれか１に記載の電子機器の入力装置の構造に係り、上記電子機器が携帯電話から成ることを特徴としている。
【００１７】
【発明の実施の形態】
以下、図面を参照して、この発明の実施の形態について説明する。説明は、実施例を用いて具体的に行なう。
◇第１実施例
図１は、この発明の第１実施例である電子機器の入力装置の構造が適用された携帯用電子機器の一例を示す斜視図、図２は同電子機器の入力装置の構造を示す図１のＡ−Ａ矢視断面図、図３は図２の主要部を示す断面図、また、図４は同電子機器の入力装置の構造が適用された携帯用電子機器を示す分解斜視図である。この例では、携帯用電子機器として携帯電話に適用した例で説明する。
この例の電子機器の入力装置の構造は、例えば図１の携帯用電子機器１０に組み込まれて、図２〜図４に示すように、上面に銅等の導電材料から成る固定接点（第１の導電層）１が設けられるとともに必要な複数の電子部品２が実装されたガラスエポキシ樹脂、セラミック等の絶縁材料から成る基板３と、この基板３上に接着され内面に固定接点１と対向して接触可能な銅等から成る可動接点（第２の導電層）４が接着され、クリック動作可能に外面に突起部５Ａを備えたＰＥＴ、ポリプロピレン、塩化ビニール等の可撓性絶縁シートから構成されるクリック板シート（クリック部材）５とを有している。
【００１８】
ここで、クリック板シート５を基板３上に接着し、かつクリック板シート５の内面に可動接点４を接着するための接着剤６は、シアノアクリレートを主剤としてこれに例えばフェノール樹脂からなる熱硬化性樹脂が添加された組成のものが用いられる。このような組成の接着剤６は、後述するように、この例の電子機器の入力装置の構造が組み込まれた（適用された）携帯用電子機器を廃棄して解体する際に、１４０〜１６０℃に加熱することによって、粘着性がなくなり固くて脆くなる性質を備えているので、手間がかかることなく容易に解体することができるようになる。
【００１９】
この例の電子機器の入力装置の構造は、図２に示すように、さらに、クリック板シート５上に配置されて内面にその突起部５Ａを押圧する凸部７Ａを備えたゴム等の弾力性のある絶縁性支持シート７と、絶縁性支持シート７上に接着されてこの絶縁性支持シート７を介してクリック板シート５を押圧するための、アクリル、ポリカーボネート等の絶縁材料、あるいはアルミニウム等の金属材料から成るキートップ８とを有している。キートップ８の表面には、必要に応じて塗装印刷等により加飾層９が形成されている。
【００２０】
このような構成の電子機器の入力装置の構造によれば、利用者はキートップ９を押圧して絶縁性支持シート７の凸部７Ａを介して対応した位置のクリック板シート５の突起部５Ａを押圧することにより、突起部５Ａが変形して可動接点４が下降して固定接点１に接触してスイッチがオンするので、オンされたスイッチの位置データが基板３から電子機器の制御部に入力されるので、制御部による制御の基に電子機器として所望の動作が行われるようになる。
【００２１】
次に、図４を参照して、この例の電子機器の入力装置の構造が組み込まれる携帯用電子機器１０の構成を説明する。
携帯電子機器１０は、同図に示すように、予め上面に銅等の導電材料から成る複数の固定接点１が設けられるとともに複数の電子部品２が実装されたガラスエポキシ樹脂、セラミック等の絶縁材料から成り側面にコネクタ３Ａを備えた基板３と、予め内面に固定接点１と対向して接触可能な銅等から成る複数の可動接点４が接着され、クリック動作可能に外面に複数の突起部５Ａが形成されたＰＥＴ、ポリプロピレン、塩化ビニール等の可撓性絶縁シートから構成されるクリック板シート５と、予め内面にクリック板シート５の突起部５Ａを押圧するための複数の凸部７Ａが形成され、予め上面にクリック板シート５を押圧するための、アクリル、ポリカーボネート等の絶縁材料、あるいはアルミニウム等の金属材料から成る複数のキートップ８が形成されたゴム等の弾力性のある絶縁性支持シート７と、予めキートップ８を挿入するための複数のキートップ挿入孔１２Ａが形成された、絶縁材料あるいは金属材料等からケース部１２と、ケース部１２の端部に固定されるべき液晶表示装置１１Ａ等を備える表示部１１とが、図示したような上下関係に配置される。ここで、上記可動接点４は、前述したようにシアノアクリレートを主剤としてこれに例えばフェノール樹脂からなる熱硬化性樹脂が添加された組成の接着剤６により、クリック板シート５の内面に接着されている。
【００２２】
次に、図４の配置において、上述の組成の接着剤６を用いて、クリック板シート５を基板３上に接着して一体化して、ケース部１２内の下部に取り付ける。この場合、基板３の周辺部は、ケース部１２の内壁面に予め設けられている係止部（図示せず）により固定される。次に、複数のキートップ８を備えている絶縁性支持シート７を、クリック板シート５上に各凸部７Ａと各突起部５Ａとの対応するもの同士が対向するように位置決めする。この場合、絶縁性支持シート７の周辺部は、ケース部１２の内壁面に予め設けられている係止部（図示せず）により固定されることで、上述の位置決め状態が維持される。さらに、各キートップ８をケース部１２のキートップ挿入孔１２Ａに挿入する。次に、ケース部１２の端部に表示部１１を、各ガイド孔１１Ｂ、１２Ｂを利用してピン留めして両者を一体化することにより、表示部１１を開閉可能に組み立てて、図１に示すような携帯電子機器１０を完成させる。この携帯電子機器１０を構成している基板３のコネクタ３Ａを介して、必要に応じて外部との信号のやり取りが行われる。このように携帯電子機器１０を組み立てる際には、製品が屋外で使用される機会が多いという性質上、防水性を考慮してケース部１２は内部の各部品を外部雰囲気から保護できるように構成された防水構造が採用される。
【００２３】
次に、上述したようなこの例の電子機器の入力装置の構造を組み込んだ携帯電子機器１０を、使用済みの後に廃棄して解体する方法を説明する。
まず、ケース部１２を取り外して、各構成部品毎に分離した後、図３に示したように、基板３上にシアノアクリレートを主剤としてこれに例えばフェノール樹脂からなる熱硬化性樹脂が添加された組成の接着剤６により接着されているクリック板シート５を取り出す。次に、このクリック板シート５を、１４０〜１６０℃に加熱すると、この接着剤６の性質により、接着剤６は粘着性をなくし、しかも熱硬化性樹脂が添加されていることにより硬化して、強度が脆くなる。この結果、クリック板シート５を軽く引っ張る等の方法により力を加えることにより、クリック板シート５を基板１から簡単に分離することができる。したがって、電子機器の入力装置の構造を解体する際に処理が容易になり、手間がかからないので、解体の利便性が改善される。
【００２４】
また、上述のように電子機器の入力装置の構造の解体が容易になることに伴って、この入力装置の構造が組み込まれた電子機器を修理する場合に、解体時に誤って再利用可能な部品まで破損させてしまうおそれがなくなる。具体的に説明すると、上述の加熱温度である１４０〜１６０℃は、基板３上に電子部品２をはんだ付けにより実装する場合の実装温度（一般に、２００〜２５０℃）よりも低いので、解体時に上記温度に加熱してもはんだは溶融しないので、基板１上に実装されている電子部品２をそのまま生かすことができるため、破損させることがない。したがって、余分な新しい部品は不要になるので、修理コストのアップが避けられ、構成部品のリサイクル性を向上させることができるようになる。
【００２５】
このように、この例の電子機器の入力装置の構造によれば、固定接点（第１の導電層）１が設けられた基板３上に接着され、内面に固定接点１と対向して接触可能な可動接点（第２の導電層）４が接着された可撓性絶縁シートから構成されるクリック板シート５を有する電子機器の入力装置の構造において、クリック板シート５は、シアノアクリレートを主剤としてこれに例えばフェノール樹脂からなる熱硬化性樹脂が添加された組成の接着剤６により基板上に接着されているので、この組成の接着剤６の性質により、１４０〜１６０℃で加熱処理することで、基板３上に実装されている電子部品２を破損させることなく、入力装置の構造の解体を容易に行うことができる。
したがって、使用済みの電子機器を解体する際に、解体の利便性を改善するとともに、構成部品のリサイクル性を向上させることができる。
【００２６】
◇第２実施例
図５は、この発明の第２実施例である電子機器の入力装置の構造の主要部を示す断面図である。この例の電子機器の入力装置の構造の構成が、上述した第１実施例の構成と大きく異なるところは、接着剤として異なる組成のものを用いるようにした点である。
この例の電子機器の入力装置の構造は、図５に示すように、クリック板シート５を基板３上に接着し、かつクリック板シート５の内面に可動接点４を接着するための接着剤１３は、シアノアクリレートを主剤としてこれに例えばポリウレタンからなる熱硬化性樹脂が添加された組成のものが用いられる。このような組成の接着剤１３は、後述するように、この例の入力装置の構造が組み込まれた携帯用電子機器を廃棄して解体する際に、１６０〜１９０℃に加熱することによって、粘着性がなくなり固くて脆くなる性質を備えているので、手間がかかることなく容易に解体することができるようになる。
これ以外は、上述した第１実施例と略同様である。それゆえ、図５において、図３の構成部分と対応する各部には、同一の番号を付してその説明を省略する。
【００２７】
次に、上述したようなこの例の電子機器の入力装置の構造を組み込んだ携帯電子機器を、使用済みの後に廃棄して解体する方法を説明する。
まず、第１実施例と略同様に、ケース部１２を取り外して、各構成部品毎に分離した後、図５に示したように、基板３上にシアノアクリレートを主剤としてこれに例えばポリウレタンからなる熱硬化性樹脂が添加された組成の接着剤１３により接着されているクリック板シート５を取り出す。次に、このクリック板シート５を、１６０〜１９０℃に加熱すると、この接着剤１３の性質により、接着剤１３は粘着性をなくし、しかも熱硬化性樹脂が添加されていることにより硬化して、強度が脆くなる。この結果、クリック板シート５を軽く引っ張る等の方法で力を加えることにより、クリック板シート５を基板１から簡単に分離することができる。したがって、電子機器の入力装置の構造を解体する際に処理が容易になり、手間がかからないので、解体の利便性が改善される。
【００２８】
また、上述のように入力装置の構造の解体が容易になることに伴って、この電子機器の入力装置の構造が組み込まれた電子機器を修理する場合に、解体時に誤って再利用可能な部品まで破損させてしまうおそれがなくなる。具体的に説明すると、上述の加熱温度である１６０〜１９０℃は、基板３上に電子部品２をはんだ付けにより実装する場合の実装温度（一般に、２００〜２５０℃）よりも低いので、解体時に上記温度に加熱してもはんだは溶融しないので、基板１上に実装されている電子部品２をそのまま生かすことができるため、破損させることがない。したがって、余分な新しい部品は不要になるので、修理コストのアップが避けられ、構成部品のリサイクル性を向上させることができるようになる。
【００２９】
このように、この例の電子機器の入力装置の構造によれば、固定接点１が設けられた基板３上に接着され、内面に固定接点１と対向して接触可能な可動接点４が接着された可撓性絶縁シートから構成されるクリック板シート５を有する電子機器の入力装置の構造において、クリック板シート５は、シアノアクリレートを主剤としてこれに例えばポリウレタンからなる熱硬化性樹脂が添加された組成の接着剤１３により基板上に接着されているので、この組成の接着剤１３の性質により、１６０〜１９０℃で加熱処理することで、基板３上に実装されている電子部品２を破損させることなく入力装置の構造の解体を容易に行うことができる。
したがって、第１実施例と略同様な効果を得ることができる。
【００３０】
以上、この発明の実施例を図面により詳述してきたが、具体的な構成はこの実施例に限られるものではなく、この発明の要旨を逸脱しない範囲の設計の変更などがあってもこの発明に含まれる。例えば、クリック板シートを基板上に接着するために用いる接着剤に添加される熱硬化性樹脂としては、実施例ではフェノール樹脂、ポリウレタンを用いる例で示したがこれに限らず、メラミン樹脂、ユリア樹脂、ウレタン樹脂、シリコーン樹脂等の他のものを用いることができる。また、接着剤の主剤としてはシアノアクリレートを用いる例で示したがこれに限らず、イソシアネート、パーオキサイド等の他のものを用いることができる。なお、主剤と熱硬化性樹脂との組み合わせは、電子機器の入力装置の構造の解体時に行う加熱処理の温度が、基板上に実装されている複数の電子部品の実装温度以下に選ばれたときに、接着剤として接着性が略なくなるような性質を発揮するような組み合わせとなるように選ばれる。
【００３１】
また、携帯性の特徴を生かして防水構造を備えた携帯用電子機器に適用することにより、大きな効果が得られるが、携帯用電子機器に限らずに、金融機関における現金自動預払機、交通機関における自動券売機等の電子機器、あるいは工業用の各種機械等の入力装置、さらには腕時計等のその他の装置にも適用することができる。
【００３２】
【発明の効果】
以上説明したように、この発明の電子機器の入力装置の構造によれば、第１の導電層が設けられた基板上に接着され、内面に第１の導電層と対向して接触可能な第２の導電層が接着され、外面が押圧されたとき第１の導電層と第２の導電層とを接触させるように可撓性絶縁シートから構成されるクリック部材を有する構造において、クリック部材は、熱硬化性樹脂が添加された組成の接着剤により基板上に接着されているので、接着剤の性質により、基板上に実装されている電子部品を破損させる温度以下で加熱処理することで、電子部品を破損させることなく、電子機器の入力装置の構造の解体を容易に行うことができる。
したがって、使用済みの電子機器を解体する際に、解体の利便性を改善するとともに、構成部品のリサイクル性を向上させることができる。
【図面の簡単な説明】
【図１】この発明の第１実施例である電子機器の入力装置の構造が適用された携帯用電子機器の一例を示す斜視図である。
【図２】同電子機器の入力装置の構造を示す図１のＡ−Ａ矢視断面図である。
【図３】図２の主要部を示す断面図である。
【図４】同電子機器の入力装置の構造が適用された携帯用電子機器を示す分解斜視図である。
【図５】この発明の第２実施例である電子機器の入力装置の構造の主要部を示す断面図である。
【図６】従来の電子機器の入力装置の構造の主要部を示す断面図である。
【符号の説明】
１      固定接点（第１の導電層）
２      電子部品
３      基板
３Ａ      コネクタ
４      可動接点（第２の導電層）
５      クリック板シート（クリック部材）
５Ａ      突起部
６、１３      接着剤
７      絶縁性支持シート
７Ａ      凸部
８      キートップ
９      加飾層
１０      携帯電子機器（携帯電話）
１１      表示部
１１Ａ      液晶表示装置
１１Ｂ、１２Ｂ      ガイド孔
１２      ケース部
１２Ａ      キートップ挿入孔
【図１】
2004311329.tif 000003
【図２】
2004311329.tif 000004
【図３】
2004311329.tif 000005
【図４】
2004311329.tif 000006
【図５】
2004311329.tif 000007
【図６】
2004311329.tif 000008
【手続補正書】
【提出日】平成15年4月14日(2003.4.14)
【手続補正１】
【補正対象書類名】明細書
【補正対象項目名】００３０
【補正方法】変更
【補正の内容】
【００３０】
以上、この発明の実施例を図面により詳述してきたが、具体的な構成はこの実施例に限られるものではなく、この発明の要旨を逸脱しない範囲の設計の変更などがあってもこの発明に含まれる。例えば、クリック板シートを基板上に接着するために用いる接着剤に添加される熱硬化性樹脂としては、実施例ではフェノール樹脂、ポリウレタンを用いる例で示したがこれに限らず、メラミン樹脂、ユリア樹脂、ウレタン樹脂、シリコーン樹脂等の他のものを用いることができる。また、接着剤の主剤としてはシアノアクリレートを用いる例で示したがこれに限らず、イソシアネート、パーオキサイド等の他のものを用いることができる。また、主剤としてシリコン系接着剤を用いても、熱硬化性樹脂を添加することにより同様な効果を得ることができる。なお、主剤と熱硬化性樹脂との組み合わせは、電子機器の入力装置の構造の解体時に行う加熱処理の温度が、基板上に実装されている複数の電子部品の実装温度以下に選ばれたときに、接着剤として接着性が略なくなるような性質を発揮するような組み合わせとなるように選ばれる。